(57)【要約】【構成】複数回のキー操作により所望のチャネルに切り換えるテレビジョン受像機１０は、リモコン送信機１２のキー操作により所望のチャネルの番号のうち一部の桁の番号を入力すると、現時点で選択されているチャネルの番号をブラウン管２６の画面に表示する。【効果】所望のチャネルの番号を入力するとき、現チャネルの番号を確認しながら入力できるので、現チャネルの誤選択を防止することができる。【選択図】  図１
2004356957.tif 000002
【特許請求の範囲】
【請求項１】
Ｍ回（Ｍ：２以上の整数）のキー操作によって特定された所望のチャネルを選択するチャネル選択装置において、
Ｎ回目（Ｎ：Ｍ未満の整数）のキー操作を受け付ける受付手段、および
前記受付手段による受付に応答して現時点で選択されている現チャネルの識別番号を出力する第１出力手段を備えることを特徴とする、チャネル選択装置。
【請求項２】
前記Ｍ回のキー操作は前記所望のチャネルの識別番号を入力する操作を含み、
前記所望のチャネルの識別番号は複数桁で表現される、
請求項１記載のチャネル選択装置。
【請求項３】
前記Ｎ回目のキー操作は前記所望のチャネルの識別番号のうち最上位桁の番号を入力する操作であり、
前記受付手段によって受け付けた番号と前記現チャネルの識別番号のうち最上位桁の番号とが一致しないとき前記第１出力手段を不能化する不能化手段をさらに備える、請求項２記載のチャネル選択装置。
【請求項４】
前記受付手段によって受け付けた番号を出力する第２出力手段をさらに備える、請求項３記載のチャネル選択装置。
【請求項５】
前記所望のチャネルの識別番号のうち一部の桁の番号だけが入力された期間が閾値に達したとき前記所望のチャネルを前記一部の桁の番号に基づいて特定する特定手段をさらに備える、請求項２ないし４のいずれかに記載のチャネル選択装置。
【発明の詳細な説明】
【０００１】
【発明の属する技術分野】
この発明は、チャネル選択装置に関し、特にたとえば複数回のキー操作によって特定された所望のチャネルを選択する、チャネル選択装置に関する。
【０００２】
【従来技術】
従来のこの種のテレビジョン受像機では、視聴者が現在視聴しているチャネルから次に視聴したいチャネルに切り換えると、切り換わった画面にそのチャネル番号が表示される。
【０００３】
【発明が解決しようとする課題】
しかし、この従来技術では、視聴者は、現在視聴しているチャネルから次に視聴したいチャネルに切り換える場合、現在視聴しているチャネルの番号を誤って入力する場合がある。この場合、視聴者は再度チャネル番号を入力しなければならないという問題があった。
【０００４】
それゆえに、この発明の主たる目的は、現在視聴しているチャネルの誤選択を防止することができる、チャネル選択装置を提供することである。
【０００５】
【課題を解決するための手段】
この発明は、Ｍ回（Ｍ：２以上の整数）のキー操作によって特定された所望のチャネルを選択するチャネル選択装置において、Ｎ回目（Ｎ：Ｍ未満の整数）のキー操作を受け付ける受付手段、および受付手段による受付に応答して現時点で選択されている現チャネルの識別番号を出力する第１出力手段を備えることを特徴とする、チャネル選択装置である。
【０００６】
【作用】
チャネル切換装置は、所望のチャネルを選択するために必要なＭ回の操作のうちＮ回目のキー操作が受け付けられると、現時点で選択されている現チャネルの識別番号を出力する。このため、視聴者は現チャネルの識別番号を確認しながらキー操作ができるので、Ｍ回のキー操作により現チャネルの識別番号を誤って入力することを防止できる。
【０００７】
Ｍ回のキー操作には、複数桁で表現される所望のチャネルの識別番号を入力する操作が含まれる。
【０００８】
好ましくは、Ｎ回目のキー操作によって、所望のチャネルの識別番号のうち、最上位の桁の番号を入力されると、入力された番号は受付手段によって受け付けられる。この受け付けられた番号と現チャネルの識別番号のうち最上位の桁の番号とが一致しないときは、第１出力手段から現チャネルの識別番号が出力されないようにする。この場合、所望のチャネルの識別番号と現チャネルの識別番号とが同一になることはないので、現チャネルの識別番号を出力する必要はない。
【０００９】
好ましくは、受付手段によって受け付けられた番号を出力する。このため、キー操作によって入力された所望のチャネルの識別番号を画面に表示することができる。
【００１０】
好ましくは、所望のチャネルの識別番号のうち一部の桁の番号だけが入力された期間があらかじめ設定した閾値に達すると、入力された一部の桁の番号に基づいて所望のチャネルの識別番号が特定される。このため、桁数の少ないチャネルを選択するキー操作の回数を少なくすることができる。
【００１１】
【発明の効果】
この発明によれば、所望のチャネル番号を入力するときに、現在視聴しているチャネルの番号が画面に表示されるので、現在視聴しているチャネルの誤選択を防止することができる。
【００１２】
この発明の上述の目的，その他の目的，特徴および利点は、図面を参照して行う以下の実施例の詳細な説明から一層明らかとなろう。
【００１３】
【実施例】
図１を参照して、この実施例のテレビジョン受像機１０は、リモコン受信回路１４を含む。リモコン受信回路１４は、リモコン送信機１２から送信されたチャネル切換信号を受信し、受信したチャネル切換信号をＣＰＵ１６に与える。
【００１４】
ＣＰＵ１６は、与えられたチャネル切換信号を後述するテーブルに基づいて選局情報に変換し、変換された選局情報をチューナ２０に与える。チューナ２０は、ＣＰＵ１６からの選局情報に基づいて、アンテナ１８が受信したテレビ放送の電波の中から、視聴者によって選択されたチャンネルの放送電波を選択し、選択された放送電波に対応するテレビジョン信号を映像／音声信号処理回路２２に与える。
【００１５】
映像／音声信号処理回路２２は、チューナ２０から出力されたテレビジョン信号に基づいて、映像信号と音声信号を生成する。そして、映像信号はブラウン管２６に与えられて映像として出力され、音声信号はスピーカ２４に与えられて音声として出力される。
【００１６】
ＣＰＵ１６はまた、チャネル切換信号に基づいて、現在視聴しているチャネルの番号およびこれから視聴したいチャネルの番号に関する文字情報を作成し、作成した文字情報をキャラクタジェネレータ２８に与える。キャラクタジェネレータ２８は、与えられた文字情報に基づきこれらのチャネル番号を生成し、生成したチャネル番号をブラウン管２６の画面に表示する。
【００１７】
また、メモリ３０はフラッシュメモリなどの不揮発性メモリからなり、ＣＰＵ１６が実行する処理に対応する制御プログラム、放送局とチャネル番号との関係を示すテーブル１６ａ、現在視聴しているチャネル番号とその音量などの各種情報を格納する。
【００１８】
図２を参照して、リモコン送信機１２について説明する。リモコン送信機１２のパネルは、電源キー１２ａ、音量調整キー１２ｂ、チャネル選択キー１２ｃ、テンキー１２ｄおよびハーフエントリキー１２ｅを含む。
【００１９】
電源キー１２ａはテレビジョン受像機の電源をオン／オフするためのキーである。音量調整キー１２ｂはスピーカから出力される音量を調整するためのキーであり、プラス方向操作を行うと音が大きくなり、マイナス方向操作を行うと音が小さくなる。チャネル選択キー１２ｃは現在視聴しているチャネルから順次チャネルを変更するためのキーであり、プラス方向操作を行うと現在視聴しているチャネルの番号よりも大きい番号のチャネルが選択され、マイナス方向操作を行うと現在視聴しているチャネルの番号よりも小さい番号のチャネルが選択される。
【００２０】
テンキー１２ｄは、チャネル番号を直接入力するためのキーで、“０”キーから“９”キーまでの１０個の数字キーからなる。また、ハーフエントリキー１２ｅは、次に視聴したいチャネルの番号の入力欄を画面に表示するとともに、現在視聴しているチャネルの番号を表示するキーである。このハーフエントリキー１２ｅの使い方については後述する。
【００２１】
次に、図３を参照して、放送局とチャネル番号との関係を説明する。このテレビジョン受像機１０によって受信可能な２６局の放送局が開局している。そして、チャネル０には放送局Ａが、チャネル１には放送局Ｂが、チャネル２には放送局Ｃが、・・・、チャネル２４には放送局Ｙが、チャネル２５には放送局Ｚが割り当てられている。この各放送局とチャネル番号との対応関係を示すテーブル１６ａは、メモリ３０に格納されている。チャネル切換信号がリモコン送信機１２からリモコン受信回路１４を介してＣＰＵ１６に与えられると、ＣＰＵ１６は与えられたチャネル切換信号とテーブル１６ａとに基づいて、チャネル切換信号に対応する放送局を選択する選局情報を作成する。そして、ＣＰＵ１６は、作成した選局情報をチューナ２０に与える。チューナ２０は、与えられた選局情報に基づいて特定の放送局からの放送電波を選択する。
【００２２】
次に、図４を参照して、チャネルを切り換えるときにＣＰＵ１６が処理する動作について説明する。まず、ステップＳ１で、ハーフエントリキー１２ｅが押されたかどうかを判断する。ハーフエントリキー１２ｅが押されていない場合には、ハーフエントリキー１２ｅが押されるまで待機する。
【００２３】
また、ハーフエントリキー１２ｅが押された場合には、ステップＳ３で、ブラウン管２６の画面に“ｃｈＡＢ”と“ｃｈ――”が表示される。ここで“Ａ”、“Ｂ”はそれぞれ、現在視聴しているチャネルの１０位桁の数字、１位桁の数字である。また、“―”はテンキー１２ｄを用いて数字を入力できることを表しており、したがって“ｃｈ――”は所望のチャネル番号を構成する２桁の数字を入力できることを表している。このように、視聴者はハーフエントリキー１２ｅを押すことによって、現在視聴しているチャネルの番号“ｃｈＡＢ”を画面で確認しながら、次に視聴したいチャネルの番号を入力することができる。
【００２４】
なお、ハーフエントリキー１２ｅを用いてチャネル番号を入力する場合、視聴者は常に２桁の数字を入力しなければならない。このため、チャネル番号が１桁の放送局を選択する場合は、１０位桁に“０”を入力して２桁の数字とする必要がある。例えば、チャネル３を選択する場合、“０３”と入力する。
【００２５】
このときのブラウン管の画面表示を、図５（Ａ）を参照して具体的に説明する。例えば、チャネル１２からチャネル１８にチャネルが切り換えられる場合、画面の左上に現在のチャネルの番号を示すため“ｃｈ１２”が表示される。また、画面の右上には、視聴したいチャネルの番号を入力できるようにするため、“ｃｈ――”が表示される。
【００２６】
ステップＳ５で、ハーフエントリキー１２ｅが押されてから５秒経過したかどうかを判断する。そして、５秒経過している場合には、ステップＳ７で、画面に表示されたチャネル表示が削除される。すなわち、ステップＳ３で表示された“ｃｈＡＢ”と“ｃｈ――”が削除され、チャネルの切換処理が終了する。
【００２７】
一方、まだ５秒経過していない場合には、ステップＳ９に進み、テンキー１２ｄのうち、数字“Ｘ”を表す“Ｘ”キーが押されたかどうかを判断する。ここで、“Ｘ”は視聴者が次に視聴したいチャネルの１０位桁の数字である。
“Ｘ”キーが押されていない場合には、ステップＳ５に戻る。このように、ハーフエントリキー１２ｅが押されてから５秒以内に“Ｘ”キーが押されないと、画面のチャネル表示は消去されて、チャネルの切換処理が終了する。
【００２８】
一方、ハーフエントリキー１２ｅが押されてから５秒以内に“Ｘ”キーが押された場合には、ステップＳ１１で、画面に“ｃｈＡＢ”と“ｃｈＸ―”とが表示される。例えば、図５（Ｂ）に示すように、チャネル１２からチャネル１８にチャネルを切り換えたい場合、まず“１８”の１０位桁数字である“１”キーが押される。すると、画面の左上のチャネル表示が“ｃｈ――”から“ｃｈ１―”に変わる。
【００２９】
次に、ステップＳ１３で、“Ｘ”キーが押されてから５秒経過したかどうかを判断する。その結果、５秒経過したと判断した場合には、ステップＳ７で，画面に表示された“ｃｈＡＢ”と“ｃｈＸ―”が削除されて、チャネルの切換処理が終了する。
【００３０】
一方、まだ５秒経過していないと判断した場合には、ステップＳ１５に進み、テンキー１２ｅの中の“Ｙ”キーが押されたかどうかを判断する。ここで、“Ｙ”は視聴者が次に視聴したいチャネルの１位桁の数字である。そして、“Ｙ”キーが押されていない場合には、ステップＳ１３に戻る。このように、“Ｘ”キーが押されてから５秒以内に“Ｙ”キーが押されないと、ステップＳ７で画面のチャネル表示が消去されて、チャネルの切換処理が終了する。
【００３１】
また、“Ｙ”キーが押されると、ステップＳ１７で、画面に“ｃｈＡＢ”と“ｃｈＸＹ”とが表示される。この結果、視聴者はチャネルＡＢからチャネルＸＹへのチャネル切換操作をしたこと確認することができる。例えば、図５（Ｃ）に示すように、切換え後のチャネル１８の１位桁数である“８”キーが押されると、画面の右上のチャネル表示が“ｃｈ１８”に変わる。このとき、画面にはまだチャネル１２の番組が映し出されている。
【００３２】
ステップＳ１９で、チャネルＡＢの画面からチャネルＸＹの画面に切り換える。このチャネル切換時の映像の乱れを隠すため、映像ミュートを数秒間かけて画面を暗くし、映像の乱れがなくなった後にチャネルＸＹの画面が表示される。
【００３３】
画面がチャネルＡＢからチャネルＸＹに切り換えられると、ステップＳ２１で、画面に“ｃｈＸＹ”が表示される。ステップＳ２３で、５秒経過したかどうかを判断し、５秒経過していない場合には、ステップＳ２１に戻る。このようにして、チャネルＸＹに切り換えられた後、５秒間だけ画面に“ｃｈＸＹ”が表示される。具体的には、図５（Ｄ）に示すように、チャネル１８で放送されている番組が映し出されるとともに、現在選択されているチャネルがチャネル１８であることを示すため、画面の右上に“ｃｈ１８”が表示される。
【００３４】
そして、５秒経過したと判断した場合には、ステップＳ２５で、画面から“ｃｈＸＹ”の表示が消去され、チャネルの切換処理が終了する。
【００３５】
このように、ハーフエントリキー１２ｅを使用することによって、画面上に現在視聴しているチャネルの番号も表示されるので、次に視聴したいチャネルの番号を入力するときに、誤って現在視聴しているチャネルの番号を入力してしまうという間違いを防止することができる。
【００３６】
次に、この発明の他の実施例について説明する。この実施例のテレビジョン受像機１０の構成は、図６に示すように図１のテレビジョン受像機１０の場合と同一である。このため、図６のテレビジョン受像機１０の各部には、図１の対応する部分に付された番号と同一の番号を付し、その説明を省略する。
【００３７】
次に、図７を参照して、リモコン送信機１２について説明する。このリモコン送信機１２のキー配列は、ハーフエントリキー１２ｅがない点を除いて、図２に示されたリモコン送信機１２のキー配列と同一である。このため、図７のリモコン送信機１２の各キーには、図２のリモコン送信機１２の対応するキーに付された番号と同一の番号を付し、その説明を省略する。
【００３８】
また、この実施例の放送局とチャネル番号との対応関係を示すテーブル１６ａは、図８に示すように、図３のテーブル１６ａと同一である。このため、図８のテーブル１６ａの説明を省略する。
【００３９】
図９を参照して、チャネルを切り換えるときにＣＰＵ１６が処理する動作について説明する。まず、ステップＳ３１で、次に視聴したいチャネル番号の１０位桁の数字である“Ｘ”キーが押されるまで待つ。そして、“Ｘ”キーが押された場合は、ステップＳ３３で、画面に現在視聴しているチャネルの番号“ＡＢ”と入力された“Ｘ”とが表示される。視聴者はこの表示を見ることにより、現在視聴しているチャネルがチャネルＡＢであることがわかる。したがって、視聴者が１位桁の数字を入力するときに、誤って“ＡＢ”と同じチャネル番号を選択することを防止することができる。具体的には、チャネル１２からチャネル１８にチャネルを切り換える場合について、図１０（Ａ）を参照して説明する。この場合、チャネル１２の番組が映し出され、そのチャネル表示“１２”が画面の左上に表示される。また、切換後のチャネルの番号“１８”の１０位桁数字を表す“１”が、画面の右上に表示される。
【００４０】
ステップＳ３５で、“Ｘ”キーを入力してから５秒経過したかどうかを判断する。そして、５秒経過した場合には、後述するステップＳ４９に進む。また、５秒経過していない場合には、ステップＳ３７で、“Ｙ”キーが押されたかどうかを判断する。“Ｙ”キーが押されていない場合には、ステップＳ３５に戻る。このように、“Ｘ”キーが押されてから５秒以内に“Ｙ”キーが押された場合にはステップＳ３９に進み、押されない場合にはステップＳ４９に進む。
【００４１】
“Ｙ”キーが押されると、ステップＳ３９で、画面に“ＡＢ”と“ＸＹ”とが表示される。この結果、視聴者はチャネルＡＢからチャネルＸＹへのチャネル切換操作をしたことを確認することができる。具体的には、図１０（Ｂ）に示すように、切換後のチャネルの番号“１８”の１位桁の数字“８”が入力されたので、画面の右上のチャネル表示が“１”から“１８”に変更される。なお、このとき画面にはチャネル１２の番組が映し出されている。
【００４２】
ステップＳ４１で、チャネルＡＢからチャネルＸＹに切り換えられる。このとき、チャネル切換時の映像の乱れを隠すため、映像ミュートを数秒間かけて画面を暗くし、映像の乱れがなくなった後にチャネルＸＹの画面を表示する。
【００４３】
ステップＳ４３で、チャネルＸＹの画面に切り換えられると、画面に“ｃｈＸＹ”が表示される。例えば、図１０（Ｃ）に示すように、チャネル１２の番組からチャネル１８の番組に切り換えるとともに、チャネル１８が選択されていることを表示するため、画面の右上に“１８”が表示される。
【００４４】
ステップＳ４５で、５秒経過したかどうかを判断し、５秒経過していない場合には、ステップＳ４３に戻る。このようにして、チャネルＸＹに切り換えられた後、５秒間だけ“ｃｈＸＹ”が画面に表示される。そして、５秒経過すると、ステップＳ４７で画面から“ＸＹ”の表示が消去され、チャネルの切換処理が終了する。
【００４５】
一方、ステップＳ３５で“Ｘ”キーが押されずに５秒経過した場合は、ステップＳ４９で“Ｘ”を“Ｙ１”に置き換える。すなわち、視聴者は１桁のチャネル番号を入力するつもりで“Ｘ”キーを押したが、ＣＰＵ１６は入力された“Ｘ”を１０位桁の数字と判断して、次に１位桁の数字“Ｙ”キーが押されるのを待っている。しかし、５秒経過しても“Ｙ”キーが押されない場合、ＣＰＵ１６は入力された“Ｘ”を１位桁数字とみなして、“Ｘ”を１位桁の数字“Ｙ１”に置き換える。具体的には、“１”が入力されてから５秒経過しても次の数字が入力されない場合、ＣＰＵ１６は、視聴者が現在視聴しているチャネル１２からチャネル１への切換を希望していると判断する。
【００４６】
ステップＳ５１で、ＡＢチャネルからチャネルＹ１に切り換えられる。このときも、チャネル切換時の映像の乱れを隠すため、映像ミュートを数秒間かけて画面を暗くし、映像の乱れがなくなった後にチャネルＸＹの画面を表示する。
【００４７】
ステップＳ５３で、画面に“０Ｙ１”が表示され、現在選択されているチャネルはチャネルＹ１であることが示される。具体的には、図１１に示されるように、画面にチャネル１の番組が映し出されるとともに、そのことを示すため、画面の右上に“０１”が表示される。
【００４８】
次に、ステップＳ５５で、５秒経過したかどうかを判断し、５秒経過していない場合には、ステップＳ５３に戻る。このようにして、チャネルＹ１に切り換えられた後、５秒間だけ画面に“０Ｙ１”が表示される。そして、ステップＳ５７で５秒経過したと判断された場合には、ステップＳ５７で、画面から“０Ｙ１”の表示が消去され、チャネルの切換処理が終了する。
【００４９】
次に、この発明のその他の実施例について説明する。この実施例のテレビジョン受像機１０の構成は、図１２に示すように図１のテレビジョン受像機１０の場合と同一である。このため、図１２のテレビジョン受像機１０の各部には、図１の対応する部分に付された番号と同一の番号を付し、その説明を省略する。
【００５０】
次に、図１３を参照して、リモコン送信機１２について説明する。このリモコン送信機１２のキー配列は、ハーフエントリキー１２ｅがない点を除いて、図２に示されたリモコン送信機１２のキー配列と同一である。このため、図１３のリモコン送信機１２の各キーには、図２のリモコン送信機１２の対応するキーに付された番号と同一の番号を付し、その説明を省略する。
【００５１】
また、この実施例の放送局とチャネル番号との対応関係を示すテーブル１６ａは図１４に示すように、図３のテーブル１６ａと同一である。このため、図１４のテーブル１６ａの説明を省略する。
【００５２】
図１５を参照して、チャネルを切り換えるときにＣＰＵ１６が処理する動作について説明する。まず、ステップＳ６１で、“Ｘ”キーが押されるまで待つ。“Ｘ”キーが押されると、現在視聴しているチャネルＡＢの１０位桁数字である“Ａ”と、入力された“Ｘ”とが同一の数字であるかどうかを判断する。その結果、“Ａ”と“Ｘ”とが異なる数字であると判断された場合には、後述するステップＳ８３に進む。
【００５３】
一方、“Ａ”と“Ｘ”とが同じ数字である場合には、画面に“ＡＢ”と“Ｘ”とが表示される。ここで、“ＡＢ”と“Ｘ”とを表示させるのは、視聴者がチャネルを選択するときに、誤って現在視聴しているチャネルＡＢを選択する可能性があるためである。具体的には、チャネル１２からチャネル１８にチャネルを切り換える場合について、図１６（Ａ）を参照して説明する。この場合、チャネル１２の番組が映し出され、そのチャネル表示“１２”が画面の左上に表示される。また、切換後のチャネルの番号“１８”の１０位桁数字を表す“１”が、画面の右上に表示される。
【００５４】
ステップＳ６７で、５秒経過したかどうかを判断する。“Ｙ”キーが押されることなく５秒経過した場合は、ステップＳ６９に進み、ステップＳ６５で画面に表示された“ＡＢ”と“Ｘ”とが消去される。一方、まだ５秒経過していない場合は、ステップＳ７１で“Ｙ”キーが押されたかどうかを判断する。“Ｙ”キーが押されていないと判断した場合には、ステップＳ６７に戻り、“Ｙ”キーが押されるのを待つ。
【００５５】
“Ｙ”キーが押されると、ステップＳ７３で、画面に“ＡＢ”と“ＸＹ”とが表示される。このことにより、視聴者はチャネルＡＢからチャネルＸＹにチャネル切換操作をしたことを確認することができる。具体的には、図１６（Ｂ）に示すように、切換後のチャネルの番号“１８”の１位桁の数字“８”が入力されたので、画面の右上のチャネル表示が“１”から“１８”に変更される。なお、このとき画面にはチャネル１２の番組が映し出されている。
【００５６】
ステップＳ７５で、次に視聴したい番組を放送しているチャネルＸＹに切り換えられる。このとき、チャネル切換時の映像の乱れを隠すため、映像ミュートを数秒間かけて画面を暗くし、映像の乱れがなくなった後にチャネルＸＹの画面を表示する。チャネルＸＹに切り換えられると、ステップＳ７７で、画面に“ＸＹ”が表示される。例えば、図１６（Ｃ）に示すように、チャネル１２の番組からチャネル１８の番組に切り換えるとともに、チャネル１８が選択されていることを表示するため、画面の右上に“１８”が表示される。
【００５７】
そして、ステップＳ７９で５秒経過したかどうかを判断する。その結果、５秒経過していない場合は、ステップＳ７７に戻る。一方、５秒経過した場合は、ステップＳ８１で画面に表示されているチャネル表示“ＸＹ”が消去され、チャネルの切換処理が終了する。
【００５８】
また、ステップＳ６３で“Ａ”と“Ｘ”とが異なる数字と判断されれば、ステップＳ８３に進み、“Ｘ”は“Ｘ２”に置き換えられる。そして、ステップＳ８５で画面に“Ｘ２”のみが表示される。これは、“ＡＢ”の１０位桁数字である“Ａ”とステップＳ６１で入力された“Ｘ”とが異なる数字であるため、視聴者が次に“Ｙ”キーとしてどのような数字を入力しても、“ＡＢ”と“ＸＹ”とは同じ数字になることはないからである。具体的には、チャネル１２からチャネル２４に切り換える場合、１０位桁数字“２”を入力した段階で１位桁数字としてどのような数字を入力しても、現在選択されているチャネル番号“１２”と同じ番号になることはない。この場合、図１７（Ａ）に示すように、現在選択されているチャネル番号は表示されず、次に視聴したいチャネルである２４チャネルの１０位桁を表す“２”だけが画面の右上に表示される。
【００５９】
ステップＳ８７で、“Ｘ２”キーが押されてから５秒経過したかどうかを判断し、５秒経過している場合には、ステップＳ８９に進み、ステップＳ８５で画面に表示された“Ｘ２”が消去された後、ステップＳ６１に戻る。一方、５秒経過していない場合は、ステップＳ９１で“Ｙ２”キーが押されたかどうかを判断する。その結果、“Ｙ２”キーが押されていない場合には、“Ｙ２”キーが押されるまで待機するためステップＳ８７に戻る。
【００６０】
“Ｙ２”キーが押された場合には、ステップＳ９３で、画面に“Ｘ２Ｙ２”が表示される。このことにより、視聴者は現在視聴しているチャネルＡＢから、チャネルＸ２Ｙ２にチャネル切換操作をしたことを確認することができる。具体的には、図１７（Ｂ）に示すように、チャネル１２の番組とともに、１位桁の数字として“４”が入力されたので、画面の右上のチャネル表示を“２”から“２４”に変える。
【００６１】
ステップＳ９５で、チャネルＡＢから、チャネルＸ２Ｙ２に切り換えられる。このときも、チャネル切換時の映像の乱れを隠すため、映像ミュートを数秒間かけて画面を暗くし、映像の乱れがなくなった後にチャネルＸＹの画面が表示される。
【００６２】
画面がチャネルＸ２Ｙ２に切り換えられると、ステップＳ９７で、画面のチャネル表示も“Ｘ２Ｙ２”に変わる。例えば、図１７（Ｃ）に示すように、チャネル２４の番組が映し出されるとともに、画面の右上に“２４”が表示される。
【００６３】
そして、ステップＳ９９で５秒経過したかどうかを判断する。その結果、５秒経過していない場合は、ステップＳ９７に戻る。また、５秒経過した場合は、ステップＳ１０１で、画面に表示されている“Ｘ２Ｙ２”が消去された後、チャネルの切換処理が終了する。
【００６４】
なお、これらの実施例ではチャネル番号は２桁であるとして説明したが、３桁またはそれ以上であってもよい。
【００６５】
また、これらの実施例では、地上波テレビ放送を例として説明したが、これに限定されず、ＢＳ放送、またはＣＳ放送についても同様に適用できる。
【図面の簡単な説明】
【図１】この発明の一実施例を示すブロック図である。
【図２】図１実施例のリモコン送信機を示す図解図である。
【図３】図１実施例のチャネル番号と放送局との関係を記載したテーブルを示す図解図である。
【図４】図１実施例の動作の一部を示すフロー図である。
【図５】図１実施例の表示画面の一部を示す図解図である。
【図６】この発明の他の実施例を示すブロック図である。
【図７】図６実施例のリモコン送信機を示す図解図である。
【図８】図６実施例のチャネル番号と放送局との関係を記載したテーブルを示す図解図である。
【図９】図６実施例の動作の一部を示すフロー図である。
【図１０】図６実施例の表示画面の一部を示す図解図である。
【図１１】図６実施例の他の表示画面の一部を示す図解図である。
【図１２】この発明のその他の実施例を示すブロック図である。
【図１３】図１２実施例のリモコン送信機を示す図解図である。
【図１４】図１２実施例のチャネル番号と放送局との関係を記載したテーブルを示す図解図である。
【図１５】図１２実施例の動作の一部を示すフロー図である。
【図１６】図１２実施例の表示画面の一部を示す図解図である。
【図１７】図１２実施例の他の表示画面の一部を示す図解図である。
【符号の説明】
１０…テレビジョン受像機
１２ｄ…テンキー
１２ｅ…ハーフエントリキー
１６…ＣＰＵ
２６…ブラウン管
２８…キャラクタジェネレータ
【図１】
2004356957.tif 000003
【図２】
2004356957.tif 000004
【図３】
2004356957.tif 000005
【図４】
2004356957.tif 000006
【図５】
2004356957.tif 000007
【図６】
2004356957.tif 000008
【図７】
2004356957.tif 000009
【図８】
2004356957.tif 000010
【図９】
2004356957.tif 000011
【図１０】
2004356957.tif 000012
【図１１】
2004356957.tif 000013
【図１２】
2004356957.tif 000014
【図１３】
2004356957.tif 000015
【図１４】
2004356957.tif 000016
【図１５】
2004356957.tif 000017
【図１６】
2004356957.tif 000018
【図１７】
2004356957.tif 000019